(57)【特許請求の範囲】
【請求項１】
複数の共振周波数の動作帯域幅を有する平面逆Ｆアンテナであって、
信号給電部と、
グランド給電部と、
動作の際に高帯域共振器および低帯域共振器をもたらすループ型トラックを含み、前記信号給電部および前記グランド給電部が接続された導電要素とを備え、
前記ループ型トラックは、
第１の長さと第１の幅を有し、中央開口部が第２の長さと第２の幅とを有し、
前記ループ型トラックは連続的であり、前記中央開口部を囲むループ型トラックの境界を定義する４つの辺と４つのコーナ部を有し、隣接する辺はコーナ部で連続しており、
前記４つの辺において対向する辺は前記中央開口部を介して互いに向かい合い、１つの対向しあう辺の長さが、他の対向し合う辺の長さよりも長く、
前記グランド給電部および前記信号給電部が、前記ループ型トラックの共通の辺の上側または下側の縁部分において前記共通の辺に近接して、互いに約３〜６ｍｍ内で配置され、
前記ループ型トラック導電要素は、低帯域における動作では低周波数帯域において約１／４波長の共振器として動作し、高帯域における動作では高周波数帯域において２つの約１／２波長の共振器として動作する
ことを特徴とするアンテナ。
【請求項２】
請求項１に記載のアンテナと結合した無線端末であって、
（ａ）無線通信信号を送受信するトランシーバを収納するように構成されたハウジングと、
（ｂ）前記ハウジング内に配置されたグランド面と、
（ｃ）前記ハウジング内に配置され、前記トランシーバと電気的に接続された請求項１に記載の平面逆Ｆアンテナとを備え、
前記平面導電性ループ型トラック要素は、平面誘電性基板上に配置されることを特徴とする無線端末。
【請求項３】
前記ループ型トラックが、高帯域において２つの１／２波長共振を形成し、前記ループ型トラックの２つの対向する各辺上に１つの共振が形成されることを特徴とする請求項１に記載のアンテナ。
【請求項４】
高帯域における動作中、互いに対向した２つの部分において電流ナル・スペースを定めるように、前記ループ型トラックは構成され、前記信号給電部および前記グランド給電部に対して配置されることを特徴とする請求項１に記載のアンテナ。
【請求項５】
低帯域における動作中、１つのコーナー部分において１つの電流ナル・スペースを定め、前記電流が、前記４つの辺のうちの少なくとも３つから、前記ナル・スペース・コーナーに向かって前記信号給電部および前記グランド給電部から離れるように前記ループ型トラックに沿って流れ、前記電流が、前記４つの辺の対応する組に沿って実質的に共通の方向に流れるように、前記ループ型トラックは構成され、前記信号給電部および前記グランド給電部に対して配置されることを特徴とする請求項１に記載のアンテナ。
【請求項６】
高帯域において、２つの対向する辺において実質的に同じ方向で電流が流れると共に、２つのナル・スペース部分の間で電流が流れることを特徴とする請求項１に記載のアンテナ。
【請求項７】
前記４つの辺が、第１の対応する組を定める２つの側辺と、第２の対応する組を定める上側および底側の辺とを含み、
前記信号給電部および前記グランド給電部が、前記ループ型トラックの前記側辺の１つの辺上に配置されることを特徴とする請求項４に記載のアンテナ。
【請求項８】
前記ループ型トラックが、実質的に方形であることを特徴とする請求項６に記載のアンテナ。
【請求項９】
前記ループ型トラックが、内側に前記中央開口部を包んだ外側および内側の周辺部を有し、
前記導電要素が、前記ループ型トラックから離れて延在した、前記信号給電部および前記グランド給電部と導電的に接続し、高帯域において共振する補助的ブランチをさらに備えることを特徴とする請求項１又は２に記載のアンテナ。
【請求項１０】
前記補助的ブランチが、前記ループ型トラックの前記中央開口部内へ延在することを特徴とする請求項９に記載のアンテナ。
【請求項１１】
前記補助的ブランチが、前記ループ型トラックの前記中央開口部の外側において、前記ループ型トラックの辺と平行に延在することを特徴とする請求項９に記載のアンテナ。
【請求項１２】
前記補助的ブランチが、前記ループ型トラックの第１の辺に取り付けられ、そこから離れてある角度で延在し、高帯域において約１９９０ＭＨｚで共振し、
前記ループ型トラックが、高帯域において約１８５０ＭＨｚで共振することを特徴とする請求項９に記載のアンテナ。
【請求項１３】
前記アンテナが、対向する末端部分を有する補助的ブランチをさらに備え、前記末端部分の１つは、前記補助的ブランチを有する前記ループ型トラックの前記選択された辺に取り付けられ、
前記補助的ブランチが、前記周辺部の前記選択された辺の長さ方向の大部分から隔置され、実質的に該大部分と平行で該大部分に沿って延在し、前記信号給電部および前記グランド給電部と導電的に接続するストリップを有することを特徴とする請求項１又は２に記載のアンテナ。
【請求項１４】
前記補助的ブランチが、約１５７５ＭＨｚで放射することを特徴とする請求項１３に記載のアンテナ。
【請求項１５】
前記ループ型トラックが、高帯域において約２．１ＧＨｚで共振し、低帯域において約８２４〜８９４ＭＨｚで共振することを特徴とする請求項１４に記載のアンテナ。
【請求項１６】
前記アンテナが、
前記周辺部の１つの辺の長さ方向の部分から隔置され、該部分と実質的に平行で該部分に沿って延在した補助的ブランチと、
前記補助的ブランチと導電的に接続する第２のグランド給電部とをさらに備え、
前記補助的ブランチは、動作中に前記ループ型トラックと寄生的に結合されることを特徴とする請求項１又は２に記載のアンテナ。
【請求項１７】
前記第２のグランド給電部が、前記補助的ブランチの上部外側縁部分に隣接して配置され、
前記補助的ブランチが、約１９３０〜１９９０ＭＨｚの範囲の高帯域の一部分における第１の共振器であり、
前記アンテナが、低帯域において約８２４〜８９４ＭＨｚの範囲で放射し、高帯域において約１．８５〜１．９９ＧＨｚの範囲で放射することを特徴とする請求項１６に記載のアンテナ。
【請求項１８】
前記導電要素が、前記信号給電部および前記グランド給電部と接続する第１、第２、および第３のブランチを有して構成され、クアドバンド・アンテナが提供されることを特徴とする請求項１又は２に記載のアンテナ。
【請求項１９】
前記アンテナの第１のブランチが、互いに対向し合う末端部分を有し、
前記末端部分の１つは、前記第２のブランチを有する前記ループ型トラックの側辺に対向する選択された辺に取り付けられ、
前記第２のブランチが、前記周辺部の選択された１つの辺の長さ方向の大部分から隔置され、実質的に該大部分と平行で該大部分に沿って前記中央開口部内に延在し、前記信号給電部および前記グランド給電部と導電的に接続するストリップを有することを特徴とする請求項１８に記載のアンテナ。
【請求項２０】
前記アンテナの第２のブランチが、前記ループ型トラックの１つの辺から離れて実質的に直角に延在し、
前記１つの辺が、前記信号給電部および前記グランド給電部に隣接することを特徴とする請求項１９に記載のアンテナ。
【請求項２１】
前記アンテナの第３のブランチが、前記ループ型トラックの最上部の辺の上に配置され、該辺に対して実質的に平行であることを特徴とする請求項２０に記載のアンテナ。
【請求項２２】
前記クオドバンド・アンテナが、低帯域において約８２４〜８９４ＭＨｚの範囲で共振し、高帯域において約１５７５ＭＨｚ、１８５０〜１９９０ＭＨｚ、および約２４００〜２４８５ＭＨｚで共振することを特徴とする請求項２１に記載のアンテナ。
【請求項２３】
複数の共振周波数の動作帯域幅を有する平面逆Ｆアンテナであって、
信号給電部と、
グランド給電部と、
動作の際に高帯域共振器および低帯域共振器をもたらすループ型トラックを含み、前記信号給電部および前記グランド給電部が接続された導電要素とを備え、
前記ループ型トラックは、
第１の長さと第１の幅を有し、中央開口部が第２の長さと第２の幅とを有し、
前記ループ型トラックは連続的であり、前記中央開口部を囲むループ型トラックの境界を定義する４つの辺と４つのコーナ部を有し、隣接する辺はコーナ部で連続しており、
前記４つの辺において対向する辺は前記中央開口部を介して互いに向かい合い、１つの対向しあう辺の長さが、他の対向し合う辺の長さよりも長く、
前記グランド給電部および前記信号給電部が、前記ループ型トラックの共通の辺の上側または下側の縁部分において前記共通の辺に近接して、互いに約３〜６ｍｍ内で配置され、
前記ループ型トラック導電要素は、低帯域における動作では低周波数帯域において約１／４波長の共振器として動作し、高帯域における動作では高周波数帯域において２つの約１／２波長の共振器として動作し、
前記ループ型トラックが、実質的に方形であり、
少なくとも１つの内側コーナー部分が、前記トラックの隣接する辺を接続する、角度のつけられたコーナー同調用部材を含むことを特徴とするアンテナ。
【請求項２４】
前記グランド給電部および前記導電要素と接続するグランド面をさらに備えることを特徴とする請求項１に記載のアンテナ。
【請求項２５】
複数の共振周波数の動作帯域幅を有する平面逆Ｆアンテナと結合した無線端末であって、
（ａ）無線通信信号を送受信するトランシーバを収納するように構成されたハウジングと、
（ｂ）前記ハウジング内に配置されたグランド面と、
（ｃ）前記ハウジング内に配置され、前記トランシーバと電気的に接続された平面逆Ｆアンテナとを備え、
前記平面逆Ｆアンテナは、
信号給電部と、
グランド給電部と、
動作の際に高帯域共振器および低帯域共振器をもたらすループ型トラックを含み、前記信号給電部および前記グランド給電部が接続された導電要素とを備え、
前記ループ型トラックは、
第１の長さと第１の幅を有し、中央開口部が第２の長さと第２の幅とを有し、
前記ループ型トラックは連続的であり、前記中央開口部を囲むループ型トラックの境界を定義する４つの辺と４つのコーナ部を有し、隣接する辺はコーナ部で連続しており、
前記４つの辺において対向する辺は前記中央開口部を介して互いに向かい合い、１つの対向しあう辺の長さが、他の対向し合う辺の長さよりも長く、
前記グランド給電部および前記信号給電部が、前記ループ型トラックの共通の辺の上側または下側の縁部分において前記共通の辺に近接して、互いに約３〜６ｍｍ内で配置され、
前記ループ型トラック導電要素は、低帯域における動作では低周波数帯域において約１／４波長の共振器として動作し、高帯域における動作では高周波数帯域において２つの約１／２波長の共振器として動作し、
前記平面導電性ループ型トラック要素は、平面誘電性基板上に配置され、
前記グランド面が、ループ型グランド面として構成されることを特徴とする無線端末。
【請求項２６】
前記ループ型グランド面構成が、前記ループ型トラック・アンテナの構成に実質的に対応する形状およびサイズを有することを特徴とする請求項２５に記載の無線端末。
【請求項２７】
前記アンテナが、前記グランド面から約３〜６ｍｍの範囲の間隔で配置されることを特徴とする請求項２４に記載のアンテナ。
【請求項２８】
前記アンテナが、前記グランド面から約３ｍｍまたはそれより狭い間隔で配置されることを特徴とする請求項２７に記載のアンテナ。
【請求項２９】
前記グランドが、前記共通の辺の上側から見て、前記信号給電部よりも下側に配置されることを特徴とする請求項２に記載の無線端末。
【請求項３０】
高帯域における動作中に、前記ループ型トラック要素の２つの辺のそれぞれ上に１つの電流ナル・スペースが配され、前記ナル・スペースが前記中央開口部によって分離され互いに実質的に対向するように２つの電流ナル・スペースを定めるように、前記ループ型トラック要素は構成され、前記信号給電部および前記グランド給電部に対して配置されることを特徴とする請求項２に記載の無線端末。
【請求項３１】
前記補助的ブランチが、前記ループ型トラック要素の第１の辺に取り付けられ、その該第１の辺からある角度で延在し、高帯域において約１９６０ＭＨｚの中央周波数で共振し、
前記ループ型トラック要素が、高帯域において約１８８０ＭＨｚの中央周波数で共振することを特徴とする請求項９に記載の無線端末。
【請求項３２】
前記アンテナが、前記グランド面から約６ｍｍ、またはそれより狭い間隔で配置されることを特徴とする請求項２に記載の無線端末。
【請求項３３】
前記アンテナが、前記グランド面から約３〜６ｍｍの間隔で配置され、前記アンテナの高周波数帯域は、前記低周波数帯域の周波数の２倍よりも低い周波数を備えることを特徴とする請求項２に記載の無線端末。
【請求項３４】
複数の共振周波数の動作帯域幅を有する平面逆Ｆアンテナと結合した無線端末であって、
（ａ）無線通信信号を送受信するトランシーバを収納するように構成されたハウジングと、
（ｂ）前記ハウジング内に配置されたグランド面と、
（ｃ）前記ハウジング内に配置され、前記トランシーバと電気的に接続された平面逆Ｆアンテナとを備え、
前記平面逆Ｆアンテナは、
信号給電部と、
グランド給電部と、
動作の際に高帯域共振器および低帯域共振器をもたらすループ型トラックを含み、前記信号給電部および前記グランド給電部が接続された導電要素とを備え、
前記ループ型トラックは、
第１の長さと第１の幅を有し、中央開口部が第２の長さと第２の幅とを有し、
前記ループ型トラックは連続的であり、前記中央開口部を囲むループ型トラックの境界を定義する４つの辺と４つのコーナ部を有し、隣接する辺はコーナ部で連続しており、
前記４つの辺において対向する辺は前記中央開口部を介して互いに向かい合い、１つの対向しあう辺の長さが、他の対向し合う辺の長さよりも長く、
前記グランド給電部および前記信号給電部が、前記ループ型トラックの共通の辺の上側または下側の縁部分において前記共通の辺に近接して、互いに約３〜６ｍｍ内で配置され、
前記ループ型トラック導電要素は、低帯域における動作では低周波数帯域において約１／４波長の共振器として動作し、高帯域における動作では高周波数帯域において２つの約１／２波長の共振器として動作し、
前記平面導電性ループ型トラック要素は、平面誘電性基板上に配置され、
前記中央開口部が、表示装置をその中に収容するのに適合された空隙であることを特徴とする無線端末。
【請求項３５】
複数の共振周波数の動作帯域幅を有する平面逆Ｆアンテナと結合した無線端末であって、
（ａ）無線通信信号を送受信するトランシーバを収納するように構成されたハウジングと、
（ｂ）前記ハウジング内に配置されたグランド面と、
（ｃ）前記ハウジング内に配置され、前記トランシーバと電気的に接続された平面逆Ｆアンテナとを備え、
前記平面逆Ｆアンテナは、
信号給電部と、
グランド給電部と、
動作の際に高帯域共振器および低帯域共振器をもたらすループ型トラックを含み、前記信号給電部および前記グランド給電部が接続された導電要素とを備え、
前記ループ型トラックは、
第１の長さと第１の幅を有し、中央開口部が第２の長さと第２の幅とを有し、
前記ループ型トラックは連続的であり、前記中央開口部を囲むループ型トラックの境界を定義する４つの辺と４つのコーナ部を有し、隣接する辺はコーナ部で連続しており、
前記４つの辺において対向する辺は前記中央開口部を介して互いに向かい合い、１つの対向しあう辺の長さが、他の対向し合う辺の長さよりも長く、
前記グランド給電部および前記信号給電部が、前記ループ型トラックの共通の辺の上側または下側の縁部分において前記共通の辺に近接して、互いに約３〜６ｍｍ内で配置され、
前記ループ型トラック導電要素は、低帯域における動作では低周波数帯域において約１／４波長の共振器として動作し、高帯域における動作では高周波数帯域において２つの約１／２波長の共振器として動作し、
前記平面導電性ループ型トラック要素は、平面誘電性基板上に配置され、
前記ループ型トラックが、液晶表示装置の外側周辺部の周りに延在することを特徴とする無線端末。
【請求項３６】
複数の共振周波数の動作帯域幅を有する平面逆Ｆアンテナと結合した無線端末であって、
（ａ）無線通信信号を送受信するトランシーバを収納するように構成されたハウジングと、
（ｂ）前記ハウジング内に配置されたグランド面と、
（ｃ）前記ハウジング内に配置され、前記トランシーバと電気的に接続された平面逆Ｆアンテナとを備え、
前記平面逆Ｆアンテナは、
信号給電部と、
グランド給電部と、
動作の際に高帯域共振器および低帯域共振器をもたらすループ型トラックを含み、前記信号給電部および前記グランド給電部が接続された導電要素とを備え、
前記ループ型トラックは、
第１の長さと第１の幅を有し、中央開口部が第２の長さと第２の幅とを有し、
前記ループ型トラックは連続的であり、前記中央開口部を囲むループ型トラックの境界を定義する４つの辺と４つのコーナ部を有し、隣接する辺はコーナ部で連続しており、
前記４つの辺において対向する辺は前記中央開口部を介して互いに向かい合い、１つの対向しあう辺の長さが、他の対向し合う辺の長さよりも長く、
前記グランド給電部および前記信号給電部が、前記ループ型トラックの共通の辺の上側または下側の縁部分において前記共通の辺に近接して、互いに約３〜６ｍｍ内で配置され、
前記ループ型トラック導電要素は、低帯域における動作では低周波数帯域において約１／４波長の共振器として動作し、高帯域における動作では高周波数帯域において２つの約１／２波長の共振器として動作し、
前記平面導電性ループ型トラック要素は、平面誘電性基板上に配置され、
前記中央開口部が、表示装置部材をその中に収容するように、大きさを形作られ構成されたエアー・スペースであり、
前記無線端末が、表示装置をさらに備え、
前記ループ型トラック要素の周辺部が、前記表示装置の周辺部に続くように、前記表示装置が、前記ループ型トラック要素の前記中央開口部中に配置された前記周辺部を有することを特徴とする無線端末。
【請求項３７】
前記無線端末が、前記表示装置および前記ループ型トラック要素を保持し、閉じた収納位置から開いた位置に回転可能なフリップ・ハウジング部材を備えることを特徴とする請求項３６に記載の無線端末。
【請求項３８】
複数の共振周波数の動作帯域幅を有する平面逆Ｆアンテナと結合した無線端末であって、
（ａ）無線通信信号を送受信するトランシーバを収納するように構成されたハウジングと、
（ｂ）前記ハウジング内に配置されたグランド面と、
（ｃ）前記ハウジング内に配置され、前記トランシーバと電気的に接続された平面逆Ｆアンテナとを備え、
前記平面逆Ｆアンテナは、
信号給電部と、
グランド給電部と、
動作の際に高帯域共振器および低帯域共振器をもたらすループ型トラックを含み、前記信号給電部および前記グランド給電部が接続された導電要素とを備え、
前記ループ型トラックは、
第１の長さと第１の幅を有し、中央開口部が第２の長さと第２の幅とを有し、
前記ループ型トラックは連続的であり、前記中央開口部を囲むループ型トラックの境界を定義する４つの辺と４つのコーナ部を有し、隣接する辺はコーナ部で連続しており、
前記４つの辺において対向する辺は前記中央開口部を介して互いに向かい合い、１つの対向しあう辺の長さが、他の対向し合う辺の長さよりも長く、
前記グランド給電部および前記信号給電部が、前記ループ型トラックの共通の辺の上側または下側の縁部分において前記共通の辺に近接して、互いに約３〜６ｍｍ内で配置され、
前記ループ型トラック導電要素は、低帯域における動作では低周波数帯域において約１／４波長の共振器として動作し、高帯域における動作では高周波数帯域において２つの約１／２波長の共振器として動作し、
前記平面導電性ループ型トラック要素は、平面誘電性基板上に配置され、
前記ループ型トラックの前記中央部分が、キーパッドをその中に収容するように、大きさを形作られ構成されたエアー・スペースであり、
前記無線端末が、キーパッドをさらに備え、
前記ループ型トラックの周辺部が前記キーパッドの周辺部に続くように、前記キーパッドが、前記ループ型トラック要素の中央部分に配置された前記周辺部を有することを特徴とする無線端末。
【請求項３９】
低帯域および高帯域の動作モードを有する平面逆Ｆアンテナを励振するための方法であって、
ループ型トラックを有する導電要素を設ける工程であって、
前記ループ型トラックは、
第１の長さと第１の幅を有し、中央開口部が第２の長さと第２の幅とを有し、
前記ループ型トラックは連続的であって、前記中央開口部を囲むループ型トラックの境界を定義する４つの辺と４つのコーナ部を有し、隣接する辺はコーナ部で連続しており、
前記４つの辺において対向する辺は前記中央開口部を介して互いに向かい合い、１つの対向しあう辺の長さが、他の対向し合う辺の長さよりも長く、
グランド給電部および信号給電部が、前記ループ型トラックの共通の辺の上側または下側の縁部分において前記共通の辺に近接して、互いに約３〜６ｍｍ内で配置され、
前記ループ型トラックは、低帯域における動作では低周波数帯域において約１／４波長の共振器として動作し、高帯域における動作では高周波数帯域において２つの約１／２波長の共振器として動作する
工程と、
選択された低帯域動作において、電流が前記４つの辺のうちの少なくとも３つから前記ループ型トラックの少なくとも１つの電流ナル部分に向かって前記信号給電部および前記グランド給電部から離れるように前記ループ型トラックに沿って流れることで、電流ナルを発生させる工程と、
選択された高帯域動作において、前記ループ型トラックの２つの隔置された電流ナル部分で、該２つの電流ナル部分のうち１つの電流ナル部分から他の１つの電流ナル部分へ、２つの対向する辺において実質的に同じ方向で電流が流れることで、電流ナルを発生させる工程と
を備えることを特徴とする方法。
【請求項４０】
グランド面から約３〜６ｍｍで前記ループ型トラック要素を配置する工程をさらに備え、
前記高帯域動作において電流ナルを発生させる工程では、前記電流ナルの発生する辺とは異なる２つの辺上を同一方向に電流が流れ、２つの隔置された位置において電流最大値が発生し、
前記電流最大値の一方が、信号給電部に接近して配され、他方の前記電流最大値が、前記信号給電部とは一般に反対側に配されることを特徴とする請求項３９に記載の方法。
【請求項４１】
ループ型グランド面として前記グランド面を構成する工程をさらに備えることを特徴とする請求項４０に記載の方法。
【請求項４２】
選択された高帯域動作において、前記ループ型トラック要素の２つの隔置された部分で電流ナルを発生させる前記工程が、前記ループ型トラックの対向する辺で２つの電流ナルを発生させる工程を含むことを特徴とする請求項３９に記載の方法。
【請求項４３】
高帯域において、２つの実質的に平行な１／２波長共振器を生成する工程であって、電流ナルを有しない前記ループ型トラック要素の２つの辺に沿ってそれぞれ１つの共振器を生成する工程をさらに備えることを特徴とする請求項４２に記載の方法。
【請求項４４】
一方の電流ナルが、前記ループ型トラック要素の上側の辺の中央部分に配置され、
他方の電流ナルが、前記ループ型トラック要素の下側の辺の中央部分に配置されることを特徴とする請求項４３に記載の方法。
【請求項４５】
前記平行な共振器が、前記ループ型トラック要素の左側および右側の辺であることを特徴とする請求項４４に記載の方法。
【請求項４６】
前記ループ型トラックの右辺の上部外側縁部分に近接し、グランド給電部が前記ループ型トラック要素の右辺に沿って信号給電部の下に約３〜６ｍｍで位置決めするように、前記信号給電部および前記グランド給電部を配置する工程をさらに備えることを特徴とする請求項４５に記載の方法。
【発明の詳細な説明】
【技術分野】
【０００１】
本発明は、通信分野に関し、より詳しくはアンテナおよびそれを組み込んだ無線端末に関する。
【背景技術】
【０００２】
無線端末のサイズは、縮小してきており、多くの最新の無線端末は、長さが１１センチより短くなっている。それに応じて、無線端末用に内蔵アンテナとして使用することができる小型アンテナへの関心が増えつつある。たとえば、逆Ｆアンテナは、無線端末、殊に小型化された無線端末での使用によく適する。通常、従来的な逆Ｆアンテナは、グランド面とは隔置された関係に保たれた導電要素を含む。典型的な逆Ｆアンテナは、特許文献１および特許文献２に開示されており、これらは参照によりその全体が本明細書に組み込まれる。
【０００３】
さらに、複数の通信システムを利用するために、無線端末が複数の周波数帯域内で動作することが望ましいことがある。たとえば、ＧＳＭ（Global System for Mobile communication）は、８８０ＭＨｚ〜９６０ＭＨｚの範囲など、低い周波数帯域で通常動作するデジタル移動電話システムである。デジタル通信システム（ＤＣＳ）は、通常１７１０ＭＨｚ〜１８８０ＭＨｚの範囲などの高い周波数帯域で動作するデジタル移動電話システムである。さらに、全地球測位システム（ＧＰＳ）またはBluetoothシステムは、１．５７５または２．４から２．４８ＧＨｚの周波数を使用する。北米で移動端末用に割り当てられている周波数帯域は、ＡＭＰＳ（Advanced Mobile Phone Service）用の８２４から８９４ＭＨｚ、および個人通信サービス（ＰＣＳ）用の１８５０〜１９９０ＭＨｚを含む。他の周波数帯域は他の管轄内で使用されている。したがって、内部アンテナが、複数の周波数帯域内で動作するように設けられている。
【０００４】
従来、ＰＩＦＡ構成は、特許文献３に記載されているようなブランチ構造などを有し、効果的に放射するために、グランド面から比較的大きな、通常約７〜１０ｍｍの間隔でＰＩＦＡを設けている。非特許文献１に、デュアル周波数ＰＩＦＡ用のいくつかの可能な放射用上部パッチが示されている。これらの文献のそれぞれの内容は、参照により本明細書にその全体が組み込まれる。
特許文献４には、短絡壁を有したループ型構造が提案され、特許文献５には、低帯域共振器ループ構造が提案されている。
前述の記載にかかわらず、代替となるマルチバンド平面アンテナは依然として必要とされる。
【特許文献１】米国特許第６，５３８，６０４号
【特許文献２】米国特許第６，３８０，９０５号
【特許文献３】米国特許第５，９２６，１３９号
【非特許文献１】Ｋｉｎ−Ｌｕ  Ｗｏｎｇ、「Ｐｌａｎａｒ  Ａｎｔｅｎｎａｓ  ｆｏｒ  Ｗｉｒｅｌｅｓｓ  Ｃｏｍｍｕｎｉｃａｔｉｏｎ」１章、４ページ（Ｗｉｌｅｙ，Ｊａｎ．２００３）
【特許文献４】欧州特許出願公開第Ａ−０，９７３，２３０号
【特許文献５】米国特許第Ｂ−６，１９５，０４８１号
【発明の開示】
【課題を解決するための手段】
【０００５】
本発明の実施形態は、通信装置および無線端末用のアンテナを提供する。アンテナは、平面逆Ｆアンテナ（ＰＩＦＡ：ｐｌａｎａｒ  ｉｎｖｅｒｔｅｄ−Ｆ  ａｎｔｅｎｎａ）に殊に適し得るループ型導電平面素子を含む。
【０００６】
いくつかの実施形態では、平面逆Ｆアンテナは、複数（通常約２〜４の範囲）の共振周波数の動作帯域幅(a plurality of resonant frequency bandwidths of operation)において動作し、（ａ）信号供給部、（ｂ）グランド供給部、（ｃ）信号供給部及びグランド供給部と通信するループ型導電要素を含むように構成される。
【０００７】
いくつかの実施形態では、プリント回路基板（ループ型アンテナ素子の上または下に存在する）によって設けてもよいところのグランド面から、約３ｍｍのところにアンテナを配置することができる。グランド面は、ループ型導電要素に実質的に対応したサイズおよび構成でループ状にしてもよい。
【０００８】
いくつかの実施形態では、ループ型導電要素は、ループ型導電要素の内側縁部分の間の間隔全体に実質的に広がる中央開口部を有するように構成される。導電要素は、実質的に四角い形状の周辺部を有することができ、各辺は、２つの隣接する辺と接触し、周辺部は、幅が約３７ｍｍ、高さが約４６．５ｍｍである。
【０００９】
特定の実施形態では、アンテナは、約８２４〜８９４ＭＨｚの範囲の第１の（低い）帯域および約１８５０〜１９９０ＭＨｚの範囲の、少なくとも１つの第２の（高い）帯域で動作するように構成される。
【００１０】
いくつかの実施形態は、複数の共振周波数の動作帯域幅を有した平面逆Ｆアンテナを対象とする。ＰＩＦＡは、信号供給部と、グランド供給部と、信号供給部およびグランド供給部と通信する導電要素とを含む。導電要素は、動作の際に高帯域共振器および低帯域共振器をもたらすループ型トラック要素を含む。
【００１１】
他の実施形態は、無線端末を対象とする。無線端末は、（ａ）無線通信信号を送受信するトランシーバを収納するように構成されたハウジング、（ｂ）ハウジング内に配置されたグランド面、（ｃ）ハウジング内に配置され、トランシーバと電気的に接続された平面逆Ｆアンテナ、（ｄ）ループ型トラック要素と電気的に接続された信号供給部、および（ｅ）信号供給部に近接したループ型トラック要素と電気的に接続されたグランド供給部を含む。アンテナは、平面誘電性基板と、平面誘電性基板上に配置された平面導電要素とを含む。導電要素は、長さ、幅、およびループ型トラックが包んだ中央部分を有したループ型トラック導電要素を含み、ループ型トラックは、低周波数帯域で約１／４波長の共振器、および高周波数帯域で約１／２波長の共振器を定義するように構成される。
【００１２】
いくつかの実施形態では、ループ型トラック要素は、４つの辺を有したエンドレスな周辺部を含み、グランド供給部および信号供給部が、互いに隣接して、ループ型トラック要素の共通サイドの上側または下側の縁部分において共通サイドに近接して配置される。
【００１３】
他の実施形態は、低帯域および高帯域の動作モードを有した平面逆Ｆアンテナを励振する方法を対象とする。方法は、（ａ）低周波数帯域において約１／４波長共振器、および高周波数帯域において約１／２波長共振器を形成するように構成されたループ型トラック要素を有した導電要素を設けるステップ、（ｂ）低帯域動作が選択されたときに、ループ型トラックの少なくとも１つの部分に沿って電流ナル(null)を生成するステップ、および（ｃ）高帯域動作が選択されたときに、ループ型トラックの２つの隔置された部分（通常、実質的に互いに対向する辺）で電流ナルを生成するステップを含む。
【００１４】
これらおよび他の実施形態を以下にさらに述べる。
【発明を実施するための最良の形態】
【００１５】
ここで、本発明について以下により十分に、本発明の実施形態が示された添付の図面を参照して述べる。しかし、本発明は、多くの異なる形で実施することができ、本明細書に述べる実施形態に限定されるものとして解釈すべきでなく、むしろこれらの実施形態は、本開示が十分で完全になり、当業者に本発明の範囲を十分に伝えるように、提供される。同じ番号は、全体にわたり同じ要素を示す。あるアンテナの実施形態に関して議論されるが、１つのアンテナの実施形態の特徴または動作は、他に適用することができることを理解されたい。
【００１６】
図面では、線の太さ、層、特徴(features)、構成要素、および領域の少なくともいずれかは、明確化のために誇張されることがある。層、領域、または基板などの特徴が、他の特徴または要素の「上」にあるとして述べられる場合、それは、他の要素の上に直接あることができ、または介在要素が存在してもよい。その一方で、要素が、他の特徴または要素の「直接上」にあるとして述べられる場合、介在要素が存在しないことを理解されたい。特徴または要素が、他の特徴または要素に「接続」または「結合」されていると述べられる場合、それは、他の要素に直接接続することができ、または介在要素が存在してもよいことも理解されたい。その一方で、特徴または要素が、他の要素に「直接接続」または「直接結合」されていると述べられる場合、それは、介在要素が存在しないことを理解されたい。用語「ループ型の」または「ループ」トラックは、閉じたまたは実質的に閉じたひと巻きまたはエンドレスな構成を有したトラックまたはトレースを意味する。
【００１７】
ここで、本発明の実施形態について以下に図面を参照して詳細に述べる。逆Ｆ導電要素は、複数の通常は少なくとも第１および第２の共振周波数帯域において動作するように構成することができ、いくつかの実施形態では、第３またはそれより多い共振周波数帯域において動作するようにも構成することができる。本発明の実施形態によるアンテナは、たとえば、国際電話およびデュアル・モードの電話の少なくともいずれかのような、２以上の異なる共振周波数帯域をサポートするマルチ・モードの無線端末中で役立つことができる。いくつかの実施形態では、本発明のアンテナは、低周波数帯域および高周波数帯域で動作することができる。用語「低周波数帯域」または「低帯域」は、同義的に使用され、いくつかの実施形態では、約１ＧＨｚより低い周波数を含み、通常８２４〜８９４ＭＨｚまたは８８０〜９６０ＭＨｚの少なくとも１つを含む。用語「高周波数帯域」および「高帯域」は、同義的に使用され、いくつかの実施形態では、１ＧＨｚより高い周波数を含み、通常約１．５〜２．５ＧＨｚの範囲の周波数を含む。高帯域中の周波数は、約１７００〜１９９０ＭＨｚ、１９９０〜２１００ＭＨｚ、および、２．４〜２．４８５ＧＨｚの少なくともいずれかの内の、選択された周波数または範囲を含むことができる。
【００１８】
いくつかの実施形態では、高周波数帯域は、低周波数帯域の周波数の２倍の周波数より低い周波数を含むことができる。たとえば、約８２４〜８９４ＭＨｚの範囲の周波数で動作する低帯域モードに対して、高帯域モードでは、約１．６４８〜１．７８８ＧＨｚより低い周波数で動作することができる。
【００１９】
いくつかの実施形態では、アンテナがその中に構築される端末が、ＧＰＳ受信器を含むことができるので、アンテナは、全地球測位システム（ＧＰＳ）用の共振をもたらすように構成することができる。ＧＰＳは、ほぼ１．５７５ＭＨｚで動作する。ＧＰＳは当業者によく知られている。ＧＰＳは、人工衛星およびコンピュータを使用して地球上のどこでも位置を測定する、宇宙ベースの三角測量システムである。他の地上ベースのシステムと比較すると、ＧＰＳは、そのサービスエリアの制限がより少なく、通常、天候にかかわらず２４時間連続的にサービスエリアを提供し、極めて正確である。現在実現されているものでは、地球を周回する２４個の人工衛星の一群が、絶え間なくＧＰＳ無線周波数を放射している。上記のアンテナの追加の共振によって、アンテナを使用してこれらのＧＰＳ信号を受信することが可能になる。
【００２０】
本明細書で使用するように、用語「無線端末」には、マルチラインディスプレイを有する（または有さない）携帯電話の無線端末、携帯電話の無線端末とデータ処理、ファクシミリ、およびデータ通信の機能とを結合した個人用通信システム（ＰＣＳ）の端末、無線端末、ページャー、インターネット／イントラネット・アクセス、ウェブ・ブラウザ、オーガナイザ、カレンダ、および／またはＧＰＳ受信器を含むことができるＰＤＡ、ならびに従来のラップ・トップ型およびパーム・トップ型の少なくともいずれかの受信器、あるいは無線端末受信機を含む他の装置が含まれ得るが、これらに限定されるものではない。無線端末は、「パーベイシブ・コンピューティング(pervasive computing)」装置としても呼ばれてもよいし、移動端末としてもよい。
【００２１】
アンテナは、電気信号の送信および受信の少なくともいずれかを行うために使用することができるデバイスであることは、通信装置の当業者であれば理解するはずである。送信中、アンテナは、送信ラインからエネルギーを受け取り、このエネルギーを空中に放射することができる。受信中、アンテナは、入射波からエネルギーを集め、このエネルギーを送信ラインに伝達することができる。アンテナから放射される、またはそれから受け取るパワー量は、通常利得に換算して記述される。
【００２２】
電圧定在波比（ＶＳＷＲ）は、アンテナ給電点と、無線端末などの通信装置の給電ラインまたは送信ラインとのインピーダンス整合に関連する。最小の損失で無線周波数エネルギーを放射するために、または受信したＲＦエネルギーを最小の損失で無線端末受信機に伝達するために、無線端末アンテナのインピーダンスは、従来、送信ラインまたは給電点のインピーダンスと整合される。従来の無線端末は、通常、内部に配置されたプリント回路基板上に位置する信号処理回路と動作について関連付けられたトランシーバと電気的に接続されたアンテナを使用する。アンテナとトランシーバとの間でのパワー伝達を増加するために、トランシーバおよびアンテナを、そのそれぞれのインピーダンスが実質的に「整合」されるように、すなわち不要なアンテナのインピーダンス成分を補償するように電気的に同調されて、給電点において５０Ω（または所望の値）のインピーダンス値をもたらすように、相互接続することができる。
【００２３】
図１Ａを参照すると、アンテナ２０は、４つの辺２２１、２２２、２２３、および２２４を有した少なくとも１つの導電性ループ型トラック要素２２を有する導電要素２１を含む。この図に示すように、隣接する辺の縁部分は、互いに接触している。ループ型トラック要素２２は、関連した中央開口部２２ａも有する。アンテナ２０は、信号給電部２８およびグランド給電部２５を含む。いくつかの実施形態において、グランド２５を、要素２１の共通の辺部分上で信号給電部２８の下に約３〜６ｍｍの間を置いて配置してもよい。
【００２４】
この図に示すように、中央開口部２２ａは、トラックの内側周辺部を十分な間隔で分離して、トラックの互いに対向する辺の寄生結合(parasitic coupling)を抑制するように、長さおよび幅を、それぞれＬ２およびＷ２の大きさに作ることができる。従来的な周波数において結合を制限するように構成される分離間隔の例は、少なくとも約３〜４ｍｍである。いくつかの特定の実施形態では、Ｌ２を約３９ｍｍとし、Ｗ２を約２９ｍｍとし、要素トラック２２は、幅（Ｗ１−Ｗ２またはＬ１−Ｌ２）を約３〜６ｍｍの範囲としてもよい。
【００２５】
いくつかの実施形態では、高帯域を低帯域の周波数のほぼ２倍とすることができるように、より大きい間隔が利用される。開口部２２ａのサイズまたは長さＬ２および幅Ｗ２の少なくともいずれかが減少すると、高帯域周波数が増加する。トラックの対向する辺の間隔が１０ｍｍより小さい場合、２．２ＧＨｚの周波数またはそれより高い高帯域の動作に加えて、約８００〜９００ＭＨｚでの共振のためにアンテナを同調することが可能である。しかし、１．７〜１．９ＧＨｚの共振に加えて約８００〜９００ＭＨｚの共振を利用するアプリケーションのために、主平行放射ブランチ（左側２２３および右側２２１の辺として示す）をより大きく分離することが望ましいこともある。
【００２６】
開口部２２ａは、空隙とする、または非導電性材料で充填することができる（あるいは、それらの組み合わせでもよい）。動作の際、ユーザが指や手を非導電性の中央領域の上に置いた場合、利得または同調が低下させられるべきでない。特定の実施形態では、ループ型トラック要素２２が、表示装置（ＬＣＤなど）または他の構成要素をその中に収容することができる開口部２２ａをもたらすような大きさに作られる。トラックの長さＬ１は、約４７ｍｍのオーダーとし、幅Ｗ１は、約３７ｍｍオーダーとすることができる。
【００２７】
ループ型アンテナ２０の構成は、クラム・シェルまたはフリップ・タイプのハウジング（無線通信）設計に殊に適し得る。クラム・シェル設計は、薄型で、フリップ上により大きい表示装置を収容するためのより大きい表示領域を有することができ、ユーザが操作中フリップの中央に指を置くことができる。ループ型アンテナ２０は、これらのデザインにおいて使用することができる。というのも、アンテナ２０も比較的薄い（平らな）外形を有しているからである。いくつかの実施形態は、中央構成要素がなしで構成することができ（ユーザの操作中のデチューニングを防止するため）、ループ型アンテナ２０は、他のＰＩＦＡまたは携帯通信装置のアンテナのデザインに比べて、比較的大きなｘ、ｙ領域（長さおよび幅）を利用する。
【００２８】
全体的に述べると、低帯域における動作の際（帯域「Ａ」として記述することができる）は、導電要素２１は、約１／４波長共振を有する実質的に固体の導電性シートのように作用することができる。低帯域の共振周波数は、ループ型トラック要素２２の適切な長さ（Ｌ１）および幅（Ｗ１）の選択、および、給電部２８からループ型トラック要素２２の上側縁部分２２ｅ１までの間隔の調節のうち、少なくともいずれかによって設定することができる。ループ型トラック要素２２の領域（Ｌ１およびＷ１の少なくともいずれか）を増加することによって、共振周波数を低下させることができ、その一方で、領域（Ｌ１およびＷ１の少なくともいずれか）を減少することによって、共振周波数を高めることができる。低帯域はまた、或いは代替的に、給電およびグランドの接続部からナル・コーナー２２ｎ（図１Ｃ）までの間隔を調節することによって同調することができる。
【００２９】
高帯域において、ループ型トラック要素２２は、第１の高帯域共振器をもたらすことができる（「Ｂ１」として記述することができる）。高帯域において動作する際、図１Ｂ、１Ｄ、および１Ｅに示すように、２つの明白に識別できる定在波が、ループ型トラック２２の対向する辺または縁部上に形成され、それぞれが約１／２波長で共振する。ループ型トラック２２の２つの隣接しない辺（左側２２３および右側２２１の辺として示す）は、増加された、または最大の電流状態とし、一方ループ型トラック２２の対向する２つの辺は、減少された、またはより少ない電流状態とすることができる（低電流サイドは、上側２２４および底側２２２の辺として示す）。このようにして、この構成は、水平方向成分が打ち消し合い、放射が実質的に垂直方向に発生され、それによって主偏波(primary polarization)より約１０ｄＢ低い交差偏波(cross-polarization)をもたらすことができる２つの平行な放射器として、実質的に機能する。主な放射ピークは、ループ型トラック２２から離れており、背面放射を比較的低くすることができる。図１Ｅに、ヨーロッパまたは他の管轄で使用される９００／１８００帯域を同調するのに殊に適することができる、アンテナ２０の左側２２３の辺上に位置した特別の同調用ブランチ２３も示す。
【００３０】
いくつかの実施形態では、図１Ｄおよび１Ｅに示すように、グランド面１２５は、要素２２と実質的に同じ形状を有することができる。これは不可欠なものではないが、これによって、要素２２をグランド面１２５により接近して配置することが可能になり得る。横にさらに遠くまで延びた構成として、要素２２から離れたグランド面１２５の構成を示すが、この寸法および形状の少なくともいずれかを、要素２２と（図面の右側に示されるように）揃うように調節することができる。
【００３１】
高帯域共振は、ループ型トラック要素２２の経路の内側周辺部（または間隔）のサイズ（すなわち、Ｌ２およびＷ２の少なくともいずれか）を変更することによって、および同調用ブランチ２３（図１Ａに破線表示で任意選択の特徴として示す）などの同調用構成要素を追加することによって、同調するまたは調節することができる。いくつかの実施形態では、ループ型トラックの幅（Ｗ２）、および、トラック２２の辺（殊に左右の辺または第１の共振器の辺）の幅の少なくともいずれかは、高帯域において所望の動作帯域に共振を同調するように選択することができる。第２の共振帯域が、第１の共振帯域の周波数の約２倍より低いときのために、外側同調用ブランチ２３は、同調するのに殊に適し得る。
【００３２】
いくつかの実施形態では、以下にさらに議論するように、アンテナ２０は、約２〜４の範囲の共振帯域を有するように構成され、低帯域は、約８２４〜８９４ＭＨｚの範囲内の周波数を含む。ループ型構成は（以下に議論するように単独でまたは補助的なブランチを有して）、複数の高帯域共振、ならびに（通常は下にあるプリント回路基板で定まる）グランド面から約３ｍｍの間隔において高帯域のための良好な利得を有したマルチバンドＰＩＦＡを可能とする。
【００３３】
図１Ｂに、電流ベクトルを示して、シミュレートされた高帯域放射パターンを示す。この図に示すように、電流は、高帯域動作の際、実質的に同相であり、ループ型トラック２２（そこでは、水平方向の辺がグランド給電部２５および信号給電部２８から離れた垂直の辺とマージする）の実質的に正反対の対向した縁部分に位置した２つのナル・コーナー２２ｎが存在する。
【００３４】
図１Ｃに、電流ベクトルを示して、放射パターンを用いてシミュレートされた低帯域放射（約８５０ＭＨｚにおいてなど）を示す。この実施形態では、ナル・コーナー２２ｎが、ループ型トラック２２の、高帯域動作とは異なる縁部分上に配置される。この図に示すように、ナル・コーナー２２ｎは、信号給電部２８およびグランド給電部２５それぞれから離れて最も遠い縁部分上に位置する。
【００３５】
図２Ａに、アンテナ２０が、第１の高帯域共振器「Ｂ１」をもたらすループ型トラック２２、ならびに高帯域において第２の共振器「Ｂ２」（約１／４波長共振器）をもたらす補助的ブランチ３０を含んだ導電要素２１を含むことができることを示す。補助的ブランチ３０は、この図に示すように２つの実質的に平行なストリップを分離する開口部３０ａを設けて構成することができる。補助的ブランチ３０は、第１の高帯域共振Ｂ１との有害な干渉を抑制するために、ループ型トラック２２の辺から離れてある角度で延在するように、構成することができる。
【００３６】
さらに、補助的ブランチ３０は、この図に示すように、信号給電部２８およびグランド給電部２５に近接して、ループ型トラック２２の内部に配置することができ、また、ループ型トラック外部で、それから外側に離れて延在して配置することができる（図示せず）。アンテナ導電要素２２は、２つの隣接した辺２２の間で、アンテナ２０を同調するために使用することができるコーナー部材３２を含むことができる。このアンテナ構成の利得は、水平および垂直の偏波成分の混合とすることができ、それは、補助的ブランチ３０が方向付けられた角度に、ある程度よることができる。補助的ブランチ３０は、ループ型トラック２２の遠いコーナー部分などのループ型トラック２２の一部分と容量的に結合し、この共振（Ｂ２）を他の高帯域共振（Ｂ１）と隣接させるようにすることができる。
【００３７】
この実施形態では、補助的ブランチ３０は、内部ブランチとして示してあり、動作の際、１つの共振を生成する（この実施形態では、２つの高帯域周波数のより高い周波数）。内部補助的ブランチ３０は、偏波ダイバーシティを有し、より無指向性のパターンを生成することができる。外側ループ２２は、より低い高帯域共振を形成し、比較的低い（通常約−１０ｄＢ）の交差偏波で垂直に偏波される。したがって、高帯域のＶＳＷＲは、高帯域にわたり（たとえば、１８５０〜１９９０ＭＨｚにわたり）、約３ｍｍの高さにおいて約４：１より良好にすることができ、約６ｍｍの高さにおいては約２．５：１まで向上させることができる。あるいは、第２の高帯域共振Ｂ２は、ＵＭＴＳまたはBluetooth（２．１または２．４ＧＨｚ）などの他の周波数帯域から分離することができる。より高い周波数のために使用されたとき、帯域幅は、より広くすることができる。
【００３８】
ループ型トラック２２の長さ（Ｌ１）は、約４６．５ｍｍとすることができ、幅は、約３７ｍｍとすることができる。グランド面からの高さまたは分離間隔は、約５ｍｍまたはそれより狭くてもよく、通常約３ｍｍであるが、この間隔を増加すると、性能を向上させることができる（殊に低帯域性能）。グランド・ピンが、給電部より垂直に約５ｍｍ下に配置されてもよい。図２Ａに示す構成では、アンテナは、約８２４〜８９４ＭＨｚおよび１８５０〜１９００ＭＨｚのそれぞれ低帯域および高帯域において動作する。図２Ｂは、図２Ａに示すアンテナ２０（高さ３ｍｍおよび６ｍｍ）に対応した低帯域共振「Ａ」、第１の高帯域共振「Ｂ１」（ループ型トラック２２からの）、および第２の高帯域共振「Ｂ２」（ブランチ３０からの）を示す代表的なＶＳＷＲグラフである。高さ３ｍｍにおいて、ＶＳＷＲは、帯域縁部で、低帯域には約８：１であり、高帯域には３〜４：１である。６ｍｍの高さでは、ＶＳＷＲは、低帯域では４：１に、高帯域では２．５：１により接近する。この図には、より低いおよびより高い要素の位置が同じ図上に描かれており、最も外側のラインが、より高く配置された要素２２に対応する。
【００３９】
図２Ｃおよび２Ｄに、図２Ａに示したアンテナ構成に関して１８５０ＭＨｚ（図２Ｃ）および１９００ＭＨｚ（図２Ｄ）においてアンテナ高さが約６ｍｍで、例示のアンテナ放射パターンを示す。
【００４０】
図３Ａに、ループ型トラック２２を有したアンテナ２０の他の実施形態を示す。この実施形態では、アンテナ２０は、３つの共振帯域、約８２４〜８９４ＭＨｚの範囲である低帯域「Ａ」、および２つの高帯域Ｂ１、Ｂ２を発生するように構成される。高帯域は、一方が１５７５ＭＨｚで他方が２．１〜２．４ＧＨｚの状態になるように、同調することができる（より高い帯域がＢ１であり、主にループ型トラック２２に起因する）。アンテナ２０は、補助的帯域・ブランチ１３５を含む（ＧＰＳ共振（１５７５ＭＨｚ）で帯域Ｂ２を生成し、高帯域共振を拡大することできる）。高帯域の範囲は、放射要素２２の最大電流領域を厚くする（導電性トレースの面積または幅を増加する）ことによって、拡張することができる。補助的ブランチ１３５は、ループ型要素２２の左側の辺（レッグ２２３）にスロットを入れる、またはそれをスプリットすることによって形成することができ、追加の帯域幅、ならびに追加の共振周波数をもたらすことができる。追加の共振周波数は、補助的ブランチ１３５を生成するために使用されるスロットの長さを調節することによって、同調することができる。この図に示すように、第１の辺２２１は、動作の際、高帯域および低帯域の共振器の一部分を形成することができる特別のストリップまたはトラックの幅１３０を有する。いくつかの実施形態では、特別の厚さが、高帯域動作において帯域幅の増加をもたらすことができる。
【００４１】
アンテナ導電要素２２は、信号２８の反対側に位置する垂直辺２２３に沿ったスリット１３５を含むことができる。上側辺２２４は、横切る方向で、他の辺より狭くしてもよい。高帯域は、より高い周波数に要望通りに同調することができる。図３Ｂに、約３ｍｍの高さで、図３Ａに示す実施形態のＶＳＷＲグラフを示す。この実施形態では、高帯域Ｂ１は比較的広く、ＶＳＷＲが約３：１において帯域幅（２１５０〜２４８５ＭＨｚ）の約１５％をカバーすることができる。トラック２２の長さＬ１および幅Ｗ１は、それぞれ約４６．５ｍｍおよび３９ｍｍとすることができる。
【００４２】
図３Ｃに、約１５８０ＭＨｚ（一般にＧＰＳに対応する）で、図３Ａに示すアンテナ２０によって生成することができる放射パターンの例を示す。前方、側方、および方位の方向についてのピーク値は、それぞれ−１．２３、−２．３、および−０．８５ｄＢｉに沿っている。図３Ｄ〜３Ｆに、約２．１ＧＨｚ（２．４ＧＨｚのパターンも同様だった）で、図３Ａに示すアンテナ２０が生成することができる放射パターンの例を示す。この図に示したパターンは、高垂直利得に関し指向性を有し、殊にアジマスにおいて（Azimuth）そうである。ピーク利得値は、約３〜４ｄＢｉの範囲である。
【００４３】
図４Ａに、ループ型トラック２２を有した導電要素２１を有するアンテナ２０の他の実施形態を示す。ループ型トラック要素２２の長さＬ１および幅Ｗ１は、それぞれ約４５ｍｍおよび３８ｍｍとすることができる。主ループ型要素２２用のグランド２５を、信号給電部２８の下、約３ｍｍに配置することができる。導電要素２１は、辺の寄生要素(parasitic element)２３ｓである補助的ブランチ２３ｓを含むことができる。寄生要素２３ｓは、ループ型トラック２２に近接しているがそれから隔置して（直接の接触は避けて）配置することができる。
【００４４】
寄生要素のブランチ２３ｓは、トラック２２の左側上および最も左側辺２２３の外側上に配置することができ、この図に示すように、その上部外側縁部分で接地２５することができる。この縁部分は、高電流ゾーン内に入れることができ、ブランチ２３ｓは、励振して共振を発生させることができる。第１の高帯域共振とは違い、この共振は、大部分はプリント回路基板の縁部のあたりで放射することができ、それによって無指向性パターンの増加および複数の偏波をもたらすことができる。寄生要素２３ｓは、トラック２２のより長い辺２２３の１つの長さ方向の大部分より、長さが長い垂直ストリップとしてもよい。寄生要素の長さは、共振の電気的波長（すなわち、共振周波数の１／４波長）に実質的に（ほぼ）対応するような大きさに作ることができる。左側の辺２２３は、寄生要素２３ｓをその中に収容するような大きさに作られた、切り分けられた受信領域２２ｒを有することができ、左側サイド２２３は、寄生要素２３ｓに隣接した部分に沿ってより狭くなっている。アンテナ導電要素２１は、同調用コーナー部材１３２および２３２を含むことができる。
【００４５】
寄生要素２３ｓは、高帯域の高側端部（通常約１９３０〜１９９０ＭＨｚ）において主な放射器とすることができる。アンテナ２０は、低帯域で約８２４〜８９４ＭＨｚの範囲において放射する。高帯域Ｂは、約１．８５〜１．９９ＧＨｚの範囲で動作することができる。図４Ｂに、図４Ａに示す実施形態についてグランド面から３ｍｍの高さでの、ＶＳＷＲグラフの例を示す。
【００４６】
図４Ｃに、図４Ａに示すアンテナ２０について約３ｍｍの高さで測定した１８５０ＭＨｚにおける放射パターンの例を示す。図４Ｄに、図４Ａに示すアンテナについて約３ｍｍの高さで測定した１９９０ＭＨｚにおける放射パターンの例を示す。
【００４７】
図２Ａおよび図４Ａに示す実施形態は、帯域のより高側端部において無指向性利得をもたらすことができる。したがって、受信モードでは、通信装置が、ユーザの位置に基づいて（すなわち、ユーザがどの方向に向いているときでも）呼または信号が切断されないようにすることができる。
【００４８】
図５Ａに、ループ型トラック２２を有したアンテナ２０のさらに他の実施形態を示す。この実施形態は、クアドバンドアンテナである。これは、低帯域「Ａ」、ならびに高帯域Ｂ、Ｃ、およびＤで動作する（図５Ｂ）。前述のように、補助的ブランチ１３５が、ループ型トラック２２のレッグの１つの外側サイド（通常、信号およびグランドを保持したサイドに対向したサイド）に沿って位置することができ、長さＬ１の大部分（通常、この長さの少なくとも約７５％、最も多いのは実質的に長さＬ１全体）を走る。この補助的ブランチ１３５は、共振Ｂ（通常、ＧＰＳ用の約１５７５ＭＨｚ）を発生することができる。ループ型トラック２２は、１８５０〜１９９０ＭＨｚで放射を（通常、主に左右サイドから）生成することができる。この図に示すように、導電要素２１は、第３の共振ブランチ３３５および第４の共振ブランチ４３５も含む。第３の共振ブランチ３３５は、少なくとも、共振Ｃ（通常約１８５０〜１８９０ＭＨｚ）への寄与、及び、共振Ｄの発生のいずれかを実現することができる。第４のブランチ４３５は、共振Ｄ（通常、ブルートゥース用の約２４００〜２４８５ＭＨｚ）を発生する、またはそれに寄与することができる。前述したように、グランド２５は、信号給電部２８の下に約３〜６ｍｍの範囲、通常約４〜６ｍｍの範囲で配置することができる。
【００４９】
第４のブランチ４３５は、上側ブランチとすることができ、高帯域Ｃ（１８５０〜１９９０ＭＨｚなど）用の同調を主に制御するように構成するか、第３の（中央）ブランチ３３５は、帯域Ｄ（ブルートゥース）用に同調するように構成するかの、少なくともいずれかを採用することができる。補助的ブランチ１３５（左側ブランチとして示す）の構成は、ＧＰＳ（１５７５ＭＨｚ）を同調するために使用することができる。前述したように、ループ型トラックの長さおよび幅（Ｌ１、Ｗ１、図１）および要素辺の幅の少なくともいずれかは、低帯域共振を同調するまたはそれを定義するために使用することができる。
【００５０】
図６Ａに、要素トラック２２の辺に実質的に対応するように辺が構成された、アンテナ２０（ループ型トラック２２を有した）およびその下にあるループ型グランド１２５について、電流密度Ａ／ｍを０ｄＢ（２９．７６９６Ａ／ｍ）から−４０ｄＢまで表した隣接したグレースケール図を用いて、０．９５ＧＨｚにおいて示したシミュレートした電流を示す。図６Ｂに、１８００ＭＨｚで電流をシミュレートした、同じアンテナ２０を示す。いくつかの実施形態では、ループ型グランド面１２５は、より広いまたはより長い辺を有するが、ループ型トラック２２の中央開口部２２ａに実質的に対応する中央開口部（図示せず）を有することができる。
【００５１】
図７に、本発明の実施形態による基本ループ型トラック２２を有したアンテナ２０について、アンテナがグランドから約３ｍｍのアンテナ高さの場合の、ＶＳＷＲの例を示す。この図に示すように、低帯域（９１３ＭＨｚ）で１／４波長共振、および１，８ＧＨｚで１／２波長共振を含む複数の高帯域共振が存在する。他の高帯域共振は、２．９ＧＨｚ、３．４５ＧＨｚ、４．７５ＧＨｚ、および５．９５ＧＨｚを含む。追加のより高いオーダーのモードが存在することがあるが、使用した装置では測定されなかった。
【００５２】
図８Ａおよび８Ｂに、高帯域電流が、ループ型トラック２２の対向した辺（たとえば、コーナーＣ１、Ｃ２として示す）間で発振することができることを示す。左側および右側の辺（および上側および底側の辺）上の電流は、実質的に平行であり同じ方向に流れる（すなわち、それらは、互いに打ち消し合わない）。
【００５３】
図９Ａに、ループ型トラック１２５ｔ構成も有したグランド面１２５（アンテナ・トラック２２の下に位置しているのを示す）から、ループ型トラック２２が約３ｍｍ（Ｚ方向間隔）で位置したアンテナ２０を再び示す。アンテナ開口部２２ａの下のグランドを取り除き、それを同様の形状のグランド要素１２５で置き換えると、約３ｍｍの高さにおいて、許容可能な帯域幅および利得を達成することができる。低帯域を無指向性にすることができる上に、高帯域で前方対後方比(front to back ratio)をなお約４ｄＢとすることができる。この実施形態では、利得は、高帯域および低帯域共において、実質的に垂直とすることができる。図９Ｂに、図９Ａに示すアンテナ２０およびグランド面１２５のＶＳＷＲの例を示す。
【００５４】
図１０Ａおよび１０Ｃに、プリント回路基板１６１の上の図４Ａに示すアンテナ２０について、１８５０ＭＨｚ（図１０Ａ）、および１９９０ＭＨｚ（図１０Ｃ）においてシミュレートした平均電流を示す。図１０Ｂに、図１０Ａに示す１８５０ＭＨｚの電流についてシミュレートした放射パターンを示す。図１０Ｄに、図１０Ｃに示す１９９０ＭＨｚの電流についてシミュレートした放射パターンを示す。１９９０ＭＨｚでのパターンは、１８５０ＭＨｚにおけるパターンより無指向性である。
【００５５】
図１１Ａおよび１１Ｃに、図２Ａに示すアンテナ２０について、１８５０ＭＨｚ（図１１Ａ）、および１９９０ＭＨｚ（図１１Ｃ）においてシミュレートした平均電流を示す。図１１Ｂに、図１１Ａに示す１８５０ＭＨｚの電流についてシミュレートした放射パターンを示す。図１１Ｄに、図１１Ｃに示す１９９０ＭＨｚの電流についてシミュレートした放射パターンを示す。プリント回路基板１６１の上部中央部は、１９９０ＭＨｚで、中央ブランチの下の活性度が増加していることを示す。したがって、この実施形態では、中央ブランチ３０が主放射器である。
【００５６】
これらのシミュレーションは、米国カリフォルニア州フレモント（Ｆｒｅｍｏｎｔ）にあるＺｅｌａｎｄ  Ｓｏｆｔｗａｒｅ，Ｉｎｃ．，製の市販のソフトウェア・パッケージＩＥ３Ｄを使用して実施されたものである。
【００５７】
図面では、実質的に方形のものとしてループ型トラック要素２２が示されているが、他のループ型トラック構成を使用できることに留意されたい。たとえば、楕円形、平行四辺形、または対向する辺の間が十分に分離された、適切に構成された曲線状トラックでさえ使用することができる。いくつかの実施形態では、内側ループの周りの最小間隔は、高帯域動作のために、２つの１／２波長経路を定義するのに十分とすべきである。いくつかの実施形態では、ループの周りの外側間隔（または給電部／グランドから対向するサイドまでの間隔）は、第１の共振のために、２つの１／４波長経路を定義するのに十分とすべきである。
【００５８】
さらに、当業者に知られているように、整合用構成要素を追加して、５０Ωソースへのインピーダンス整合の向上、及び帯域幅および低帯域利得の増加のいずれかを実現することができる。たとえば、給電部と直列に約１〜３ｎＨのインダクタンスを追加して、高帯域に著しい影響を及ぼさずに低帯域を改善することができる。グランド面は、スロット、開口部、およびその他の類似のものを追加して修正し、アンテナがグランド面から遠くに見えるようにすることで性能を向上させることができる。高誘電性材料を導電要素２１とグランド面１２５の間に追加して、アンテナ２０の幾何形状をさらに縮小することができる。開口部２２ａのサイズを減少すれば、利得を低減することができる。共振用スロットは、低帯域および高帯域の少なくともいずれかにおいて帯域幅を著しく増加するために、グランド面１２５に加えることができる。利得は、グランド・ピンを信号給電部により接近させることによって、高帯域から低帯域に所望に「シフト」することができる。
【００５９】
本発明のいくつかの実施形態による逆Ｆアンテナは、内部グランド面及びトランシーバ構成要素を有した、無線電話通信信号の送受信を実施可能な無線電話端末など、無線端末を有した装置中に組み込むことができる。グランド面は、幅を約４０ｍｍ、長さを１２５ｍｍとすることができる。
【００６０】
アンテナ２０は、グランド面１２５に実質的に平行に配置し、グランド面およびトランシーバ構成要素にそれぞれのグランド給電部および信号給電部を介して接続することができる。アンテナ２０は、無線電話端末のハウジングまたはその中のサブアセンブリの形状に適合するように、あるサイズ、およびグランド面に対する位置を用いて形成する、または形作ることができる。たとえば、アンテナは、収納されている音響チャンバ(enclosed acoustic chamber)の一部分を定める基板上に置くことができる。したがって、アンテナは、厳密には「平面的」でないことがあるが、専門用語では、なお平面逆Ｆアンテナとして呼ばれることがあるはずである。
【００６１】
さらに、用語「グランド面」は、適用すべてにわたり使用されるが、用語「グランド面」が、本明細書で使用されるときは、面の形状に限定されないことが理解されるであろう。たとえば、「グランド面」は、ストリップや他の形状や合理的なサイズでよく、シールド用被覆や他の金属性物体などの非平面構造を含むことができる。
【００６２】
アンテナ導電要素には、たとえばＦＲ４やポリイミドなど、その下にある基板誘電性バッキングを設けてもよいし、設けなくてもよい。さらに、アンテナは、ブランチ間またはセグメント間のスペース中に空隙を含むことができる。あるいは、スペースは、誘電性基板材料またはバッキング・シートの上に形成された導電性パターンで、少なくとも部分的に充填することができる。さらに、本発明の実施形態による逆Ｆ導電要素は、誘電性基板上およびその中の少なくともいずれかに配置されていてもよい。
【００６３】
アンテナ導電要素２１は、銅および他の適切な導電性材料の少なくともいずれかから形成することができる。たとえば、導電要素のブランチは、銅シートから形成することができる。あるいは、導電要素ブランチは、誘電性基板上に積層された銅から形成することができる。しかし、本発明による逆Ｆ導電要素用の導電要素ブランチは、様々な導電性材料から形成することができ、当業者によく知られているように銅に限定されるものではない。アンテナは、これらの方法に限定されないが、金属打ち抜き加工法、フレックス・フィルム上にまたは他の基板上に、堆積、インキング、ペインティング、エッチングのいずれかによって所望のパターンで導電性材料を形成する方法、またはその他の方法で導電性材料のトレースを基板材料上に生成する方法を含んだ適切な任意の方法で形作ることができる。
【００６４】
本発明の実施形態によるアンテナは、無線端末に関連して本明細書で述べられているが、本発明の実施形態は、そのような構成に限定されるものではないことは理解されよう。たとえば、無線通信信号を送信だけまたは受信だけ行うことができる無線端末内で、本発明の実施形態によるアンテナを使用してもよい。たとえば、アンテナを利用する従来のＡＭ／ＦＭラジオまたはどのような受信機も、通信信号を受信することだけができる。あるいは、遠隔データ入力装置は、通信信号を送信することだけができる。
【００６５】
ここで図１２を参照すると、無線端末２００が示してある。この図に示すように、アンテナ２０は、通常、プリント回路基板１６１上に保持されたグランド面１２５から隔置された関係が保たれた導電要素２１を含む。アンテナ要素２１は、信号給電部２８およびグランド給電部２５と通信状態にある。信号給電部２８およびグランド給電部２５は、互いに隣接して配置し、要素２１の共通縁部分上に配列することができる。いくつかの実施形態では、信号給電部２８およびグランド給電部２５は、共通外側縁部分に接近して配置される。用語「共通外側縁部分」は、信号およびグランドの給電部が、互いに隣接して、導電要素２１のループ型トラック２２に近接し、またはその外側上に、またはその末端部分上に配置される（それらを互いに隔置する導電要素は存在しない）ことを意味する。この構成は、グランドが要素の第１の部分の上に配置され、信号が、信号と給電部を分離する導電要素の拡張部を有して、グランドの真向かいに配置される構成（中央給電構成の場合など）とは異なる。
【００６６】
再び図１２を参照すると、無線端末２００による無線端末の通信信号の送受信を可能にする従来の電子構成要素の配置をさらに詳細に述べる。この図に示すように、無線端末通信信号の受信および送信の少なくともいずれかのためのアンテナ２０が、トランシーバ回路要素１６１ｓに電気的に接続される。構成要素１６１ｓは、マイクロプロセッサなどのコントローラに電気的に接続された無線周波数（ＲＦ）トランシーバを含むことができる。コントローラは、コントローラからの信号を無線端末のユーザに伝えるように構成されたスピーカと、電気的に接続することができる。コントローラは、ユーザからの音声信号を受信し音声信号をコントローラおよびトランシーバを介してリモート装置に送信するマイクロフォンにも、接続することができる。コントローラは、無線端末の操作を容易にするキーパッドおよび表示装置と、電気的に接続することができる。トランシーバ、コントローラ、およびマイクロフォンの設計は、当業者によく知られており、ここではさらに述べる必要がない。
【００６７】
図１２に示す無線通信装置２００は、携帯電話またはＰＣＳタイプの無線電話タイプの無線端末としてもよく、それは本発明の実施形態によるアンテナ２０を使用する。この図に示すように、装置２００は、電子トランシーバ構成要素１６１ｓを含む信号受信器および送信器の少なくともいずれか（たとえば、ＲＦトランシーバ）から延在する信号給電部２８を含む。グランド面１２５は、平面逆Ｆアンテナ２０用のグランド面として作用する。アンテナ２０は、点線２０８で概略的に示した誘電性基板バッキングを含んでもよい。アンテナ２０は、覆い部２１２を含むことができ、それは導電要素２１を信号給電部２８およびグランド給電部２５に接続するように働く。グランド給電部２５は、グランド面１２５に接続される。アンテナ２０は、グランド面１２５に対して実質的に平行に取り付けることができ、前述したように特定の応用には存在するはずの形状、変形、および湾曲の形成を必要とする。信号給電部２８は、グランド面１２５中の開口部２１４を通り抜け、トランシーバ構成要素１６１ｓに接続することができる。トランシーバ構成要素１６１ｓ、グランド面１２５、および逆Ｆアンテナ２０は、無線（すなわち、無線電話）端末用として端末ハウジング１６５中に収納することができる。ハウジング１６５は、後方部分１６５ｂおよび前方部分１６５ｆを含むことができる。無線装置２００は、上記に述べたようにキーパッドや表示装置などの他の構成要素を含んでもよい。グランド面１２５は、アンテナ２０の上またはその下に存在するように構成してもよい。
【００６８】
本明細書に示すアンテナ２０のブランチ・パターン構成は、１０〜９０°、通常９０°、１８０°、または２７０°などに回転されて再配向されてもよいことに留意されたい。さらに、または、その構成は鏡像的パターンで（左側から右側に）再配向されてもよい。アンテナ２０は、約１２００ｍｍ２より狭い面積を占めるように構成することができる。通常、アンテナは、高さ約４０ｍｍ×幅４０ｍｍ×奥行き１１ｍｍより小さい周辺部を有する。いくつかの実施形態では、アンテナ２０は、約１１ｍｍ（通常、４〜７ｍｍ）より小さい奥行きを有する、約３１ｍｍの高さ及び幅の少なくともいずれかに等しく、またはそれより小さくなるように構成することができる。
【００６９】
図１３Ａ〜１３Ｃは、本発明の実施形態による、表示装置５００の周辺部の周りに位置するループ型導電要素を備えたアンテナ２０を有する無線通信装置２００の概略正面図である。表示装置５００は、ＬＣＤなど任意の適切なグラフィック表示装置または画像表示装置とすることができる。ループ型導電要素２２は、表示装置周辺部から間隔をおいて並置される、またはそれに対して接近して隔置されるように大きさを形作り構成してもよい。装置２００は、図１３Ａに示す同一表面上に、（図１３Ｂに示すフリップ構成またはクラム・シェル構成で）異なる部材上に、または背面上（図１３Ｃ）にキーパッド（英数字キー入力）を含んでもよい。フリップ構成は、携帯電話などの無線通信装置を形成するのに殊に適し得、それは、閉じた収納位置から開いた位置にめくる、或いは、旋回する２個の付属ハウジング部材を使用する。
【００７０】
図１４Ａ〜１４Ｃは、本発明の実施形態による、キーパッドまたはキーボード５０５の周辺部の周りに位置したループ型導電要素２２を備えたアンテナ２０を有した無線通信装置２００の概略正面図である。キーパッド５０５は、上記の表示装置５００について説明したような構成と類似の装置上に、様々な構成で配置することができる。装置２００は、図１３Ａ〜１３Ｃおよび図１４Ａ〜１４Ｃに示す位置を組み合わせたものなど、２箇所以上でループ型要素を含んでもよい。ループ型要素２２は、表示装置またはキーパッドの下で背面表面上に配置してもよい（図示せず）。
【００７１】
本図面および明細書で、本発明の実施形態が開示され、具体的な用語が使用されているが、その用語は、一般的な記述する意味だけで、限定する目的ではなく使用されており、本発明の範囲は、特許請求の範囲に記述する。したがって、前述の記載は、本発明を例示し、それを限定すると解釈すべきでない。本発明のいくつかの実施形態が述べられてきたが、本発明の斬新な教示および利点から実質的に逸脱せず、例示の実施形態において多数の修正が可能であることを、当業者は容易に理解されるであろう。したがって、そのような修正すべてを、特許請求の範囲で定義される本発明の範囲内に含むことを目的としている。特許請求の範囲において、ミーンズ・プラス・ファンクション形式の請求項は、それが使用される場合には、引用された機能を果たすものとして本明細書に述べられた構造、および構造的な均等物だけでなく、均等な構造も包含することを目的としている。したがって、前述の記載が本発明を例示し、開示された具体的な実施形態に限定されると解釈すべきではないこと、ならびに開示された実施形態の修正、および他の実施形態が特許請求の範囲に含まれると企図されることを理解すべきである。本発明は、特許請求の範囲によって定義され、特許請求項の均等物がその中に含まれる。
【図面の簡単な説明】
【００７２】
【図１Ａ】本発明の実施形態によるループ型平面逆Ｆアンテナ構成の拡大概略平面図である。
【図１Ｂ】例示の高帯域放射パターンをシミュレートし電流ベクトルで同相電流を表した、図１Ａに示すアンテナの概略図である。
【図１Ｃ】例示の低帯域１／４波長共振パターンをシミュレートし電流ベクトルで電流方向を表した、図１Ａに示すアンテナの概略図である。
【図１Ｄ】本発明の実施形態による、高帯域電流ベクトルの図を表す、ループ型アンテナの平面図である。
【図１Ｅ】図１Ｄに示すループ型アンテナと類似であるが、本発明の実施形態による補助的な同調機構を有したループ型アンテナの平面図である。
【図２Ａ】本発明の実施形態による他のループ型平面逆Ｆアンテナの平面図である。
【図２Ｂ】図２Ａに示すアンテナの（グランド面から）３ｍｍおよび６ｍｍの高さにおけるＶＳＷＲグラフの図である。６ｍｍ（より高い方）の要素は、より太い線で示す。
【図２Ｃ】約６ｍｍのアンテナ高さで測定した、図２Ａに示すアンテナの１８５０ＭＨｚにおける前方正面放射パターンの極座標系グラフの図である。
【図２Ｄ】約６ｍｍのアンテナ高さで測定した、図２Ａに示すアンテナの１９９０ＭＨｚにおける前方正面放射パターンの極座標系グラフの図である。
【図３Ａ】本発明の追加の実施形態による平面逆Ｆアンテナの平面図である。
【図３Ｂ】グランド面から約３ｍｍに配置された、図３Ａに示すアンテナのＶＳＷＲグラフの図である。
【図３Ｃ】約３ｍｍのアンテナ高さで測定した、図３Ａに示すアンテナの１５８０ＭＨｚ（ＧＰＳ）における前方正面放射パターンの極座標系グラフの図である。
【図３Ｄ】、
【図３Ｅ】、
【図３Ｆ】約３ｍｍのアンテナ高さで測定した、図３Ａに示すアンテナの２．１ＧＨｚにおける前方正面放射パターン、側方正面放射パターン、および方位角方向放射パターンそれぞれの極座標系グラフの図である。
【図４Ａ】本発明の他の実施形態による平面逆Ｆアンテナの平面図である。
【図４Ｂ】グランド面から約３ｍｍ高さに配置された、図４Ａに示すアンテナのＶＳＷＲグラフの図である。
【図４Ｃ】約３ｍｍのアンテナ高さで測定した、図４Ａに示すアンテナの１８５０ＭＨｚにおける前方正面放射パターンの極座標系グラフの図である。
【図４Ｄ】約３ｍｍのアンテナ高さで測定した、図４Ａに示すアンテナの１９９０ＭＨｚにおける前方正面放射パターンの極座標系グラフの図である。
【図５Ａ】本発明の他の実施形態による平面逆Ｆアンテナの平面図である。
【図５Ｂ】図５Ａに示すアンテナが発生する４つの異なる共振帯域のＶＳＷＲグラフの図である。
【図６Ａ】０．９５ＧＨｚにおいて電流密度のグレースケール・パターンを、電流のスケールが０ｄＢ〜−４０ｄＢの範囲（０ｄＢ＝２９．７９６Ａ／ｍである）で示した、ループ型アンテナ構成の図である。
【図６Ｂ】電流のスケールが０ｄＢ〜−４０ｄＢの範囲（０ｄＢ＝２９．７９６Ａ／ｍである）で、２．４ＧＨｚにおいて電流密度のグレースケール・パターンを示した、図６Ａに示すループ型アンテナ構成の図である。
【図７】本発明の実施形態による基本ループ型設計のアンテナのＶＳＷＲを示す図である。
【図８Ａ】本発明の実施形態による、対向するコーナー間で高帯域電流が発振することができることを電流ベクトルによって示す、ループ型アンテナ構成の平面図である。
【図８Ｂ】本発明の実施形態による、対向するコーナー間で高帯域電流が発振することができることを電流ベクトルによって示す、ループ型アンテナ構成の平面図である。
【図９Ａ】本発明の実施形態によるループ型アンテナ構成に実質的に対応した修正されたグランド面設計による、ループ型アンテナの平面図である。
【図９Ｂ】図９Ａに示すアンテナのＶＳＷＲを示す図である。
【図１０Ａ】本発明の実施形態による、１８５０ＭＨｚ動作においてアンテナの励振をシミュレートした、図４Ａに示すアンテナの平面図である。
【図１０Ｂ】図１０Ａに示す平均電流シミュレーションのシミュレートされた放射パターンを示す図である。
【図１０Ｃ】本発明の実施形態による、１９９０ＭＨｚ動作においてアンテナの励振をシミュレートした、図４Ａに示すアンテナの平面図である。
【図１０Ｄ】図１０Ｃに示す平均電流シミュレーションのシミュレートされた放射パターンを示す図である。
【図１１Ａ】本発明の実施形態による、１８５０ＭＨｚ動作においてアンテナの励振をシミュレートした、図２Ａに示すアンテナの平面図である。
【図１１Ｂ】図１１Ａに示す平均電流シミュレーションのシミュレートされた放射パターンを示す図である。
【図１１Ｃ】本発明の実施形態による、１９９０ＭＨｚ動作においてアンテナの励振をシミュレートした、図２Ａに示すアンテナの平面図である。
【図１１Ｄ】図１１Ｃに示す平均電流シミュレーションのシミュレートされた放射パターンを示す図である。
【図１２】本発明の実施形態による無線通信装置の部分側面図である。
【図１３Ａ】、
【図１３Ｂ】、
【図１３Ｃ】本発明の実施形態による、表示装置の周辺部の周りに位置付けられたループ型アンテナ構成を有した無線通信装置の概略正面図である。
【図１４Ａ】、
【図１４Ｂ】、
【図１４Ｃ】本発明の実施形態による、キーパッドまたはキーボードの周辺部の周りに位置付けられたループ型アンテナ構成を有した無線通信装置の概略正面図である。
【図１Ａ】
0004510012.tif 000002
【図１Ｂ】
0004510012.tif 000003
【図１Ｃ】
0004510012.tif 000004
【図１Ｄ】
0004510012.tif 000005
【図１Ｅ】
0004510012.tif 000006
【図２Ａ】
0004510012.tif 000007
【図２Ｂ】
0004510012.tif 000008
【図２Ｃ】
0004510012.tif 000009
【図２Ｄ】
0004510012.tif 000010
【図３Ａ】
0004510012.tif 000011
【図３Ｂ】
0004510012.tif 000012
【図３Ｃ】
0004510012.tif 000013
【図３Ｄ】
0004510012.tif 000014
【図３Ｅ】
0004510012.tif 000015
【図３Ｆ】
0004510012.tif 000016
【図４Ａ】
0004510012.tif 000017
【図４Ｂ】
0004510012.tif 000018
【図４Ｃ】
0004510012.tif 000019
【図４Ｄ】
0004510012.tif 000020
【図５Ａ】
0004510012.tif 000021
【図５Ｂ】
0004510012.tif 000022
【図６Ａ】
0004510012.tif 000023
【図６Ｂ】
0004510012.tif 000024
【図７】
0004510012.tif 000025
【図８Ａ】
0004510012.tif 000026
【図８Ｂ】
0004510012.tif 000027
【図９Ａ】
0004510012.tif 000028
【図９Ｂ】
0004510012.tif 000029
【図１０Ａ】
0004510012.tif 000030
【図１０Ｂ】
0004510012.tif 000031
【図１０Ｃ】
0004510012.tif 000032
【図１０Ｄ】
0004510012.tif 000033
【図１１Ａ】
0004510012.tif 000034
【図１１Ｂ】
0004510012.tif 000035
【図１１Ｃ】
0004510012.tif 000036
【図１１Ｄ】
0004510012.tif 000037
【図１２】
0004510012.tif 000038
【図１３Ａ】
0004510012.tif 000039
【図１３Ｂ】
0004510012.tif 000040
【図１３Ｃ】
0004510012.tif 000041
【図１４Ａ】
0004510012.tif 000042
【図１４Ｂ】
0004510012.tif 000043
【図１４Ｃ】
0004510012.tif 000044